(57)【特許請求の範囲】
【請求項１】
取付部材及びこの取付部材を介して所定の取付箇所に着脱可能に取り付けられる無線端末本体を備えた無線端末であって、
前記取付部材は、所定の取付箇所に固定される平板状の取付金具と、前記取付金具の所定の取付箇所への固定面とは反対側の面に接合された平板状のマグネットと、前記取付金具の一側面に立設され前記無線端末本体を保持する引っ掛け部と、を有し、
前記無線端末本体は、前記取付部材が取り付けられる取付面に、前記引っ掛け部に係合する引っ掛け溝部と、前記引っ掛け部に前記引っ掛け溝部を係合させたときに前記マグネットと対向するように配設され該マグネットと磁力により接合する金属板と、前記金属板の前記引っ掛け溝部が設けられた側とは反対側に設けられ前記金属板よりも前記取付部材側に突出した凸部と、を有し、
前記凸部は、前記金属板に隣接し、かつ前記引っ掛け部に前記引っ掛け溝部を係合させて前記マグネットに前記金属板を接合させたときには前記マグネットに当接せず、前記引っ掛け部に前記引っ掛け溝部を係合させていないときには前記マグネットに当接して該マグネットに前記金属板を接合させないことを特徴とする無線端末。
【請求項２】
前記凸部の前記取付部材に対向する面は、前記金属板から離れるにつれて前記取付部材側に突出するように傾斜していることを特徴とする請求項１に記載の無線端末。
【請求項３】
前記取付金具は、前記マグネットの前記引っ掛け部から遠い側の端部の側面を覆っていることを特徴とする請求項１又は請求項２に記載の無線端末。
【請求項４】
前記無線端末本体は、その取付面に交換部材の交換のために設けられた開口を更に有し、
前記取付部材は、前記開口に対応する形状に構成され、前記無線端末本体に取り付けられたときに前記開口を覆う蓋となることを特徴とする請求項１乃至請求項３のいずれか一項に記載の無線端末。
【発明の詳細な説明】
【技術分野】
【０００１】
本発明は、取付部材と、この取付部材を介して所定の取付箇所に着脱可能に取り付けられる無線端末本体と、を備えた無線端末に関する。
【背景技術】
【０００２】
従来から、リモコンやセンサ等の無線端末本体は、所定の取付箇所に取付部材を介して着脱可能に取り付けられ、必要に応じて取付部材から取り外されて使用されることがある。このようなものとして、例えば、図６に示すように、壁面等に固定される取付部材２００と、取付部材２００に着脱可能に取り付けられる無線端末本体３００と、を備えた無線端末１００が知られている（例えば、特許文献１参照）。
【０００３】
取付部材２００は、固定面２１０Ａを介して取付箇所にネジ止め固定される平板状の取付金具２１０と、取付金具２１０の固定面２１０Ａとは反対側の面に固定された平板状のマグネット２２０と、を有する。また、取付部材２００は、取付金具２１０の上面に立設され固定面２１０Ａと平行に伸びる引っ掛け部２３０を有する。無線端末本体３００は、取付部材２００が取り付けられる取付面３００Ａに、引っ掛け部２３０に係合する引っ掛け溝部３１０と、引っ掛け部２３０に引っ掛け溝部３１０を係合させたときにマグネット２２０と磁力により接合する金属板３２０と、を有する。
【０００４】
取付部材２００に無線端末本体３００を取り付けるには、取付部材２００の引っ掛け部２３０に無線端末本体３００の引っ掛け溝部３１０を係合させた後、取付部材２００のマグネット２２０と無線端末本体３００の金属板３２０とを互いに接合させる。これにより、図７（ａ）に示すように、引っ掛け部２３０と引っ掛け溝部３１０との係合、そしてマグネット２２０と金属板３２０との接合という２つの機構によって、取付部材２００に無線端末本体３００が着脱可能に取り付けられる。
【先行技術文献】
【特許文献】
【０００５】
【特許文献１】特開平６−１８０２９号公報
【発明の概要】
【発明が解決しようとする課題】
【０００６】
しかしながら、上述したような無線端末１００では、引っ掛け部２３０と引っ掛け溝部３１０との係合と、マグネット２２０と金属板３２０との接合と、が互いに独立して起こる。そのため、図７（ｂ）に示すように、引っ掛け部２３０と引っ掛け溝部３１０とを誤って係合させた場合であっても、マグネット２２０と金属板３２０とが互いに接合して、取付部材２００に無線端末本体３００が正常に取り付けられているように見えることがある。しかしながら、このような状態では、取付部材２００に無線端末本体３００がマグネット２２０と金属板３２０との磁力で取り付けられているだけなので、取付部材２００への無線端末本体３００の取付が不十分となる。そして、無線端末本体３００に振動や衝撃が加わった場合には、マグネット２２０と金属板３２０との接合が外れて、取付部材２００から無線端末本体３００が落下する虞がある。
【０００７】
本発明は、上記課題を解決するものであって、取付部材を介して無線端末本体を所定の取付箇所に着脱可能に取り付ける際に、誤った取り付けを防止し、取付部材に無線端末本体を確実に取り付けることができる無線端末を提供することを目的とする。
【課題を解決するための手段】
【０００８】
本発明の無線端末は、取付部材及びこの取付部材を介して所定の取付箇所に着脱可能に取り付けられる無線端末本体を備え、前記取付部材は、所定の取付箇所に固定される平板状の取付金具と、前記取付金具の所定の取付箇所への固定面とは反対側の面に接合された平板状のマグネットと、前記取付金具の一側面に立設され前記無線端末本体を保持する引っ掛け部と、を有し、前記無線端末本体は、前記取付部材が取り付けられる取付面に、前記引っ掛け部に係合する引っ掛け溝部と、前記引っ掛け部に前記引っ掛け溝部を係合させたときに前記マグネットと対向するように配設され該マグネットと磁力により接合する金属板と、前記金属板の前記引っ掛け溝部が設けられた側とは反対側に設けられ前記金属板よりも前記取付部材側に突出した凸部と、を有し、前記凸部は、前記金属板に隣接し、かつ前記引っ掛け部に前記引っ掛け溝部を係合させて前記マグネットに前記金属板を接合させたときには前記マグネットに当接せず、前記引っ掛け部に前記引っ掛け溝部を係合させていないときには前記マグネットに当接して該マグネットに前記金属板を接合させないことを特徴とする。
【０００９】
前記凸部の前記取付部材に対向する面は、前記金属板から離れるにつれて前記取付部材側に突出するように傾斜していることが好ましい。
【００１０】
前記取付金具は、前記マグネットの前記引っ掛け部から遠い側の端部の側面を覆っていることが好ましい。
【００１１】
前記無線端末本体は、その取付面に交換部材の交換のために設けられた開口を更に有し、前記取付部材は、前記開口に対応する形状に構成され、前記無線端末本体に取り付けられたときに前記開口を覆う蓋となることが好ましい。
【発明の効果】
【００１２】
本発明によれば、引っ掛け部が引っ掛け溝部に係合しているときには、金属板よりも取付部材側に突出した凸部がマグネットに当接せず、マグネットと金属板とが互いに接合する。一方、引っ掛け部が引っ掛け溝部に係合されず、取付部材に対して無線端末本体が正常取付位置よりも位置ずれしたときには、凸部がマグネットに当接して、マグネットと金属板とが互いに接合しない。このように、引っ掛け部が引っ掛け溝部に係合しているときに、マグネットと金属板とが互いに接合するので、誤ってマグネットと金属板との接合だけで取付部材に無線端末本体が取り付けられるのを防止して、取付部材に無線端末本体を確実に取り付けることができる。
【図面の簡単な説明】
【００１３】
【図１】本発明の実施形態に係る無線端末を利用した照明システムの構成を示す図。
【図２】上記無線端末の分解斜視図。
【図３】（ａ）は上記無線端末を構成する取付部材をマグネット側から見た斜視図、（ｂ）は同取付部材を壁面に取り付けたときの正面図、（ｃ）は（ｂ）のＩ−Ｉ線断面図及びその一部拡大図。
【図４】（ａ）は壁面に固定された上記取付部材に無線端末本体が正常に取り付けられている場合の無線端末の側断面図、（ｂ）は（ａ）の破線で囲んだ領域の拡大図。
【図５】（ａ）は上記取付部材の引っ掛け部と無線端末本体の引っ掛け溝部との係合がうまくいかなかった場合の無線端末の側断面図、（ｂ）は（ａ）の破線で囲んだ領域の拡大図。
【図６】従来の無線端末の分解斜視図。
【図７】（ａ）は壁面に取り付けられた上記従来の無線端末の側断面図、（ｂ）は同無線端末において取付部材の引っ掛け部と無線端末本体の引っ掛け溝部との係合がうまくいかなかった場合の無線端末の側断面図。
【発明を実施するための形態】
【００１４】
本発明の実施形態に係る無線端末について図１乃至図５を参照して説明する。本実施形態の無線端末は、人から放射される熱線（赤外線）を感知することで人を検知するワイヤレス熱線センサにより構成されている。
【００１５】
図１に示すように、熱線センサ１は、照明制御システム１０の一部を構成している。照明制御システム１０は、複数の熱線センサ１を備え、各々の熱線センサ１による人検知に応じて複数の照明器具１１の点灯を個別に制御する。
【００１６】
照明制御システム１０は、各熱線センサ１からの人検知情報をワイヤレス受信する受信器１２と、各照明器具１１の制御照度等を設定するための無線設定器１３と、受信器１２及び無線設定器１３からの情報を統合処理する伝送ユニット１４と、を備える。また、照明制御システム１０は、伝送ユニット１４からの指示に基づいて各照明器具１１を点灯制御するリレー制御端末器１５と、リレー制御端末器１５からの指示に基づいて各照明器具１１への電力供給を調整する複数のリレー１６と、を備える。
【００１７】
各々の熱線センサ１は、それぞれ種々の場所に壁面に取り付けられた状態で配置されている。照明制御システム１０は、特定の熱線センサ１が人を検知すると、その熱線センサ１近傍に配置された照明器具１１を点灯させる。
【００１８】
図２に示すように、熱線センサ１は、壁面に固定される取付部材２と、取付部材２に着脱可能に取り付けられるセンサ本体（無線端末本体）３と、を備える。センサ本体３が着脱可能とされているので、センサ本体３の設定変更や部材交換を簡単に行うことができる。
【００１９】
取付部材２は、壁面に固定される略矩形平板状の取付金具２１と、取付金具２１の壁面に固定される固定面２１Ａとは反対側の面に接着材等で接合された略矩形平板状のマグネット２２（ドットで示す）と、を有する。また、取付部材２は、取付金具２１の上面（一側面）に設けられセンサ本体３を保持するための引っ掛け部２３と、取付金具２１の側面に設けられ取付部材２にセンサ本体３を取り付ける際に部材２、３間の位置合わせに用いられる位置合わせ溝２４と、を有する。
【００２０】
センサ本体３は、取付部材２が取り付けられる取付面３Ａに、取付部材２の引っ掛け部２３に係合する引っ掛け溝部３１と、取付部材２のマグネット２２と磁力により接合する金属板３２と、を有する。金属板３２は、引っ掛け部２３に引っ掛け溝部３１を係合させたときに、マグネット２２の引っ掛け部２３から遠い側の端部（下端部）に対向する位置に配設されている。
【００２１】
また、センサ本体３は、金属板３２の引っ掛け溝部３１が設けられた側とは反対側（下側）に設けられた凸部３３を有する。凸部３３は、金属板３２に隣接して設けられ、金属板３２よりも取付部材２側に突出している。図例では、凸部３３は、取付面３Ａの左右両端部にそれぞれ設けられ、その取付部材２に対向する面が金属板３２から離れるにつれて（すなわち、上方から下方に向かうにつれて）取付部材２側に突出するように傾斜している。凸部３３は、取付部材２の引っ掛け部２３にセンサ本体３の引っ掛け溝部３１を係合させてマグネット２２に金属板３２を接合させた場合には、マグネット２２（取付部材２）に当接しない位置に設けられている。一方、凸部３３は、引っ掛け部２３に引っ掛け溝部３１を誤って係合させてマグネット２２に金属板３２を接合させた場合には、マグネット２２（取付部材２）に当接する。
【００２２】
また、センサ本体３は、その取付面３Ａに交換部材の交換のために設けられた開口３４を有する。ここで言う交換部材とは、例えば、後述する熱線検知素子に電力を供給する電池３５を指す。電池３５によりセンサ本体３を駆動することで、センサ本体３への電力供給のために配線等を敷設する必要が無くなるので、センサ本体３を簡易に設置することができ、上述した照明制御システム１０の導入が簡単になる。開口３４は、取付部材２に対応する形状に構成されている。取付部材２は、センサ本体３に取り付けられたときに開口３４を覆う蓋として機能する。
【００２３】
また、センサ本体３は、取付面３Ａに隣接する側面の各々に、取付部材２にセンサ本体３を取り付ける際にこれら部材２、３の位置合わせに用いられる位置合わせ溝３６を有する。位置合わせ溝３６は、取付部材２の位置合わせ溝２４と合わされたときに、取付部材２の引っ掛け部２３とセンサ本体３の引っ掛け溝部３１とが互いに係合し得る位置に配置されるように設けられている。
【００２４】
また、センサ本体３は、その下面に自身の下方に存在する人から放射される熱線を検出する熱線検知部３７を有する。熱線検知部３７は、複数の熱線検知素子（不図示）を有する。熱線検知素子は、例えば、パナソニック株式会社製ＮａＰｉＯｎにより構成される。更に、センサ本体３は、その取付面３Ａに自身のアドレス設定や動作保持時間等を設定するための設定つまみ３８を複数有する。これらの設定は、照明制御システム１０の導入時やセンサ本体３の設置場所を変更したときに、センサ本体３を取付部材２から取り外して行われる。
【００２５】
図３（ａ）乃至（ｃ）に示すように、取付部材２の取付金具２１は、マグネット２２の引っ掛け部２３から遠い側の端部の側面（図例では下面）及びマグネット２２の側面を覆っている。また、取付金具２１は、自身を貫通して設けられ自身を壁面Ｗにネジ止めするためのネジ２５を挿通する複数の孔２６を有する（特に、図３（ｂ）参照）。図例では、複数の孔２６は、取付金具２１の中央に左右方向に互いに隣接して設けられた２つの孔２６ａ、２６ｂと、取付金具２１の下端部中央に設けられた孔２６ｃと、により構成されている。マグネット２２は、これら孔２６ａ、２６ｂ、２６ｃの各々に対応する位置に、それぞれ孔２７ａ、２７ｂ、２７ｃを有する。ネジ２５は、孔２６ａ、２７ａ及び孔２６ｂ、２７ｂのそれぞれにマグネット２２側から挿通され、壁面Ｗに設けられたネジ穴に螺合する。これにより、取付部材２は壁面Ｗに固定される。
【００２６】
引っ掛け部２３は、取付金具２１の上面に立設されマグネット２２側に屈曲した屈曲部２３ａと、屈曲部２３ａの端部から取付金具２１の固定面２１Ａと平行に伸びる延伸部２３ｂと、を有する（図３（ｃ）参照）。延伸部２３ｂは、取付部材２の両端面（固定面２１Ａ及びマグネット２２の取付金具２１と接合された面とは反対側の面）の中間位置に配置されている。
【００２７】
上記のように構成された熱線センサ１において、取付部材２にセンサ本体３を取り付ける動作について図４（ａ）（ｂ）を参照して説明する。まず、取付部材２の位置合わせ溝２４とセンサ本体３の位置合わせ溝３６とを互いに合わせることで、取付部材２の引っ掛け部２３とセンサ本体３の引っ掛け溝部３１とを互いに係合し得る位置に配置する。次いで、この状態からセンサ本体３を下方に移動させ、引っ掛け部２３に引っ掛け溝部３１を係合させる。引っ掛け部２３と引っ掛け溝部３１との係合は、これら部材２３、３１の係合に関わる部分の角部が面取りされているのでスムーズに起こる。引っ掛け部２３と引っ掛け溝部３１との係合により、取付部材２のマグネット２２の下端部に対向する位置にセンサ本体３の金属板３２が配置され、マグネット２２と金属板３２とが互いに接合する。このとき、凸部３３は、取付部材２の直ぐ下に配置され、取付部材２に当接しない。このようにして、引っ掛け部２３と引っ掛け溝部３１との係合、そしてマグネット２２と金属板３２との接合という２つの機構により、取付部材２にセンサ本体３が取り付けられる。
【００２８】
次に、上述の取付動作において、引っ掛け部２３と引っ掛け溝部３１との係合がうまくいかなかった場合について図５（ａ）（ｂ）を参照して説明する。この場合、引っ掛け溝部３１が引っ掛け部２３にうまく嵌り込んでいないので、センサ本体３は図４に示した正常取付位置に比べて上方に位置する。そのため、凸部３３が取付部材２の下端部に当接し、これにより、マグネット２２と金属板３２との間に間隙Ｓが形成され、マグネット２２と金属板３２とが互いに接合しない。この状態では、引っ掛け部２３と引っ掛け溝部３１との係合も、マグネット２２と金属板３２との接合も起こっていないので、センサ本体３は取付部材２に取り付けられていない。
【００２９】
上述のように、本実施形態の熱線センサ１によれば、金属板３２よりも取付部材２側に突出した凸部３３が、金属板３２の直ぐ下側に金属板３２に隣接して設けられている。そのため、引っ掛け部２３と引っ掛け溝部３１との係合が正常に行われた場合には、凸部３３は取付部材２に当接せず、マグネット２２と金属板３２との接合が起こる。一方、引っ掛け部２３と引っ掛け溝部３１との係合がうまくいかず、取付部材２に対して無線端末本体３が正常取付位置よりも上方に位置ずれした場合には、凸部３３が取付部材２の下端部に当接して、マグネット２２と金属板３２との接合が起こらない。このように、引っ掛け部２３と引っ掛け溝部３１との適切な係合が、マグネット２２と金属板３２との接合に必要とされるので、誤ってマグネット２２と金属板３２との接合だけで取付部材２に無線端末本体３が取り付けられるのを防止することができる。これにより、引っ掛け部２３と引っ掛け溝部３１との係合、そしてマグネット２２と金属板３２との接合という２つの取付機構によって、取付部材２にセンサ本体３を確実に取り付けることができる。
【００３０】
また、凸部３３の取付部材２に対向する面が、金属板３２から離れるにつれて取付部材２側に突出するように傾斜しているので、凸部３３が取付部材２の下端部に当接したときに、凸部３３の傾斜と取付部材２との間でスライドが起こる。これにより、センサ本体３が下方に移動するので、引っ掛け部２３と引っ掛け溝部３１との係合が促進される。
【００３１】
また、取付金具２１がマグネット２２の下面を覆っているので、マグネット２２の下端部における磁力が増強される。これにより、マグネット２２と金属板３２との接合が強固になり、取付部材２にセンサ本体３をしっかりと取り付けることができる。
【００３２】
更に、取付部材２がセンサ本体３の開口３４を覆う蓋としても機能するので、別部材を設けることなく、センサ本体３からの電池３５等の交換部材の脱落を防止することができる。
【００３３】
なお、本発明に係る無線端末は、上記実施形態に限定されず、種々の変形が可能である。例えば、無線端末本体は、熱線センサに限定されず、例えば、光照度を検知する照度センサであってもよい。また、取付部材が固定される場所は、壁面に限定されず、所定の取付箇所、例えば、天井であってもよい。更に、凸部の形状は、傾斜面を有する形状に限定されず、例えば、角柱形状とされてもよい。
【符号の説明】
【００３４】
１  熱線センサ（無線端末）
２  取付部材
２１  取付金具
２２  マグネット
２３  引っ掛け部
２１Ａ  固定面
３  センサ本体（無線端末本体）
３１  引っ掛け溝部
３２  金属板
３３  凸部
３４  開口
３Ａ  取付面
【図１】
0005942189.tif 000002
【図２】
0005942189.tif 000003
【図３】
0005942189.tif 000004
【図４】
0005942189.tif 000005
【図５】
0005942189.tif 000006
【図６】
0005942189.tif 000007
【図７】
0005942189.tif 000008